(57)【要約】【課題】室内で紛失したリモコンキーの所在を容易に確認できる。【解決手段】所在確認システム１は、少なくとも一つのリモコンキー１０、リモコン信号通信機２０、電気錠制御盤３０、電気錠４０、電気錠操作器５０を備えて概略構成される。リモコンキー１０、リモコン信号通信器２０、電気錠制御盤３０、電気錠操作器５０のうち少なくとも一つに、行方不明のリモコンキー１０の所在を確認するための呼出信号を送信する呼出機能を備える。行方不明のリモコンキー１０は、呼出信号を受信したときに鳴動し、所在を外部に音で知らせる。【選択図】図１
2007262792.tif 000002
【特許請求の範囲】
【請求項１】
電気錠の施解錠を指示するための施解錠信号を出力する少なくとも一つのリモコンキーを用いたリモコンキーの所在確認システムにおいて、
前記リモコンキーの所在を確認するための呼出信号を送信する呼出機能を備え、
該呼出機能による呼出信号を受信したリモコンキーが鳴動することを特徴とするリモコンキーの所在確認システム。
【請求項２】
電気錠の施解錠を指示するための施解錠信号を出力する少なくとも一つのリモコンキーを用いたリモコンキーの所在確認システムにおいて、
前記リモコンキーの所在を確認するための呼出信号を送信する呼出機能を備え、
該呼出機能による呼出信号を受信したリモコンキーが鳴動と同時に振動することを特徴とするリモコンキーの所在確認システム。
【請求項３】
前記リモコンキーを複数使用し、該複数のリモコンキーの何れか、又は該リモコンキーからの前記施解錠信号を受信するリモコン信号通信機、前記施解錠信号に基づいて前記電気錠の施解錠制御を行う電気錠制御盤、該電気錠制御盤に接続されて前記電気錠の施解錠操作を行う電気錠操作器のうちの少なくとも一つに前記呼出機能を備えたことを特徴とする請求項１又は２記載のリモコンキーの所在確認システム。
【発明の詳細な説明】
【技術分野】
【０００１】
本発明は、各種扉に設けられた電気錠を金属製の鍵に代わるリモコンキーの操作で施解錠制御する電気錠システムにおいて、室内で行方不明になったリモコンキーの所在を容易に確認することができるリモコンキーの所在確認システムに関するものである。
【背景技術】
【０００２】
従来より、各種扉の錠前部分には、不審者の侵入を回避するため、防犯性に富んだ電気錠システムが採用されている。この種の電気錠システムは、特定の施解錠信号により、例えばモータやソレノイドなどの駆動手段を駆動してデッドボルトを扉枠のストライクの係止穴に対して電気的に進退させることで錠の施解錠を行っている。そして、近年では、通常の鍵穴挿入式の金属製の鍵に代わり、ＩＣチップ内蔵カードや磁気カードなどを利用した施解錠カード、リモコンキーなどの無線通信機を用いて施解錠制御を行う電気錠システムが普及している。そして、この種の電気錠システムとしては、例えば下記特許文献１に開示されるような電気錠システムが知られている。
【０００３】
図２に示すように、特許文献１に開示される電気錠システムは、モニタスイッチ１０５から施錠状態又は解錠状態を示すモニタ信号が電気錠制御回路１０２及び錠状態判定回路１０３に送出される。室外からリモコンキー１０６ａを操作して送信器１０６から送出されたリモコン信号が室外センサ１０７で受信されると、室外センサ１０７から施解錠信号（短時間のパルス）が錠状態判定回路１０３に送られる。錠状態判定回路１０３では、室外センサ１０７からの施解錠信号とモニタスイッチ１０５からのモニタ信号とに基づいて電気錠１０１が室外から施錠されたか、室外から解錠されたかを判定する。表示器１０４は、この判定結果に基づいて在室又は不在室の旨を表示する。上記動作に並行して、送信器１０６の送信に伴う室外センサ１０７からの施解錠信号が電気錠制御回路１０２に与えられる。電気錠制御回路１０２は、施解錠信号が入力されると、モニタスイッチ１０５からのモニタ信号の状態に応じて電気錠１０１を施錠から解錠したり、解錠から施錠に制御している。
【特許文献１】特開平９−３１７２７２号公報
【発明の開示】
【発明が解決しようとする課題】
【０００４】
ところで、上述した特許文献１の電気錠システムでは、従来の金属鍵とは形状や大きさなどが異なるリモコンキー１０６ａを使用している。そして、このリモコンキーは、例えばポケットの中、バックの中、財布の中など形状的にも所持方法の自由度が広がっており、物陰などに置いた場合に、その所在が判りにくいという問題があった。また、一般住宅の電気錠システムの場合には、住人の人数分だけリモコンキーを用意し、各自がリモコンキーを所持して使用管理することになるが、家庭内での保管においても所在が判らなくなりやすいという問題があった。
【０００５】
このように、リモコンキーの所持方法の自由度が広がったこと、住人が各自でリモコンキーを保管することが多いことなどの原因により、リモコンキーを室内の何処に保管したか忘れて行方不明になってしまうという場合があった。そして、リモコンキーが行方不明になった場合には、その都度自宅内を探す手間と時間を要していた。また、行方不明のリモコンキーが見つからない場合には、新たにリモコンキーを購入して対応するなど、経済的にも負担となっていた。
【０００６】
そこで、本発明は上記問題点に鑑みてなされたものであり、行方不明のリモコンキーの所在を簡易的な構成で容易に確認することができるリモコンキーの所在確認システムを提供することを目的とするものである。
【課題を解決するための手段】
【０００７】
上記した目的を達成するために、請求項１に記載されたリモコンキーの所在確認システムは、電気錠の施解錠を指示するための施解錠信号を出力する少なくとも一つのリモコンキーを用いたリモコンキーの所在確認システムにおいて、
前記リモコンキーの所在を確認するための呼出信号を送信する呼出機能を備え、
該呼出機能による呼出信号を受信したリモコンキーが鳴動することを特徴とする。
【０００８】
請求項２に記載されたリモコンキーの所在確認システムは、電気錠の施解錠を指示するための施解錠信号を出力する少なくとも一つのリモコンキーを用いたリモコンキーの所在確認システムにおいて、
前記リモコンキーの所在を確認するための呼出信号を送信する呼出機能を備え、
該呼出機能による呼出信号を受信したリモコンキーが鳴動と同時に振動することを特徴とする。
【０００９】
請求項３に記載されたリモコンキーの所在確認システムは、請求項１又は２記載のリモコンキーの所在確認システムにおいて、
前記リモコンキーを複数使用し、該複数のリモコンキーの何れか、又は該リモコンキーからの前記施解錠信号を受信するリモコン信号通信機、前記施解錠信号に基づいて前記電気錠の施解錠制御を行う電気錠制御盤、該電気錠制御盤に接続されて前記電気錠の施解錠操作を行う電気錠操作器のうちの少なくとも一つに前記呼出機能を備えたことを特徴とする。
【発明の効果】
【００１０】
本発明のリモコンキーの所在確認システムによれば、システムを構成する各機器（リモコンキー、リモコン信号通信機、電気錠制御盤、電気錠操作器）の何れかから行方不明のリモコンキーの所在を確認するための呼出信号を出力し、この信号を行方不明のリモコンキーが呼出信号を受信して鳴動するので、行方不明のリモコンキーの所在を簡易的な構成で容易に確認することができる。また、呼出信号を受信したリモコンキーが鳴動と同時に振動すれば、行方不明になったリモコンキーの所在確認をより効果的に行うことができる。
【発明を実施するための最良の形態】
【００１１】
以下、本発明の最良の形態について、添付した図面を参照しながら詳細に説明する。図１は本発明に係るリモコンキーの所在確認システムの概略構成図である。
【００１２】
まず、本例のリモコンキーの所在確認システムの構成について図１を参照しながら詳細に説明する。ここでは、例えば一戸建てやマンションなどの一般住宅に本例のリモコンキーの所在確認システム１を採用した場合の例として説明する。
【００１３】
図１に示すように、リモコンキーの所在確認システム１は、リモコンキー１０（１０Ａ，１０Ｂ）、リモコン信号通信機２０、電気錠制御盤３０、電気錠４０、電気錠操作器５０を備えて概略構成され、リモコンキー１０（１０Ａ又は１０Ｂ）、リモコン信号通信機２０、電気錠制御盤３０、電気錠操作器５０のうちの何れか一つにリモコンキー１０の所在を確認するための呼出信号を送信する呼出機能を備え、この呼出機能による呼出信号を受信したリモコンキー１０が鳴動するシステムである。
【００１４】
なお、図１の例では、２つのリモコンキー１０Ａ，１０Ｂを用いた構成としたが、リモコンキー１０は少なくとも一つ用いた構成であれば良い。住人の各自がリモコンキー１０を所持して使用管理する場合には、住人の人数分だけリモコンキー１０が用いられる。
【００１５】
図１に示すように、リモコンキー１０は、通信手段１１、操作手段１２、制御手段１３、記憶手段１４、鳴動手段１５を備えて構成され、例えば所定周波数の電波の送受信を可能としている。リモコンキー１０は、リモコン信号として、施解錠時の通常操作に基づく施解錠信号（キーデータ：照合用信号）の送信や室内で行方不明になったリモコンキー１０の所在を確認するための呼出信号の送受信を行っている。
【００１６】
通信手段１１は、例えばアンテナ及び送受信回路を備えた無線送受信機などで構成され、施解錠時に通常操作に基づく施解錠信号や行方不明のリモコンキー１０の所在を確認するための呼出信号をリモコン信号として送信している。また、通信手段１１は、行方不明のリモコンキー１０の所在を確認する際に、外部から呼出信号を受信すると、この呼出信号を制御手段１３に出力している。
【００１７】
なお、通信手段１１は、常時外部からの呼出信号を受信できるように信号待ち受け状態を保っているが、外部からの呼出信号を間欠受信すれば、無駄な電力消費を防ぐことができる。また、通信手段１１は、他のリモコンキー１０から通常操作に基づく施解錠信号を受信したときには、その信号を無視するように制御手段１３によって制御される。
【００１８】
操作手段１２は、例えば操作ボタンなどで構成される。操作手段１２は、施解錠時や行方不明のリモコンキー１０の所在を確認する際に操作ボタンなどの所定操作（通常操作、特殊操作）がなされ、この所定操作に応じた操作信号（通常操作信号、特殊操作信号）を制御手段１３に出力している。
【００１９】
さらに説明すると、電気錠４０を施解錠する場合には、操作ボタン押下による通常操作がなされ、この通常操作に基づく通常操作信号が制御手段１３に出力される。これに対し、行方不明のリモコンキー１０の所在を確認する場合には、操作ボタンの特殊な押し方（例えば所定時間以上の長押し、所定時間内での断続押し等）による特殊操作がなされ、この特殊操作に基づく特殊操作信号が制御手段１３に出力される。
【００２０】
制御手段１３は、例えばＣＰＵやＲＯＭ、ＲＡＭなどのマイクロコンピューターで構成され、操作手段１２から出力された操作信号（通常操作信号、特殊操作信号）に応じたリモコン信号（施解錠信号、呼出信号）の出力制御を含め、リモコンキー１０の各手段の駆動を統括制御している。また、制御手段１３は、通信手段１１が外部から呼出信号を受信したときに、鳴動手段１５に鳴動指令信号を出力している。
【００２１】
記憶手段１４は、例えば磁気的、光学的記憶媒体若しくはＲＯＭ、ＲＡＭなどの半導体メモリで構成される。記憶手段１４は、キーデータや呼出信号などのリモコン信号やリモコンキー１０の駆動制御に関する各種データを記憶している。
【００２２】
鳴動手段１５は、例えばブザーなどの鳴動装置で構成され、制御手段１３からの鳴動指令信号によって鳴動し、この鳴動手段１５を含むリモコンキー１０の所在を音で外部に知らせている。
【００２３】
電源供給手段１６は、例えばコイン型電池や乾電池などで構成され、各手段の駆動に必要な電源を供給している。
【００２４】
リモコン信号通信機２０は、例えばアンテナ及び送受信回路を備えた無線送受信機などで構成され、各種信号の送受信を行っている。図１に示すように、リモコン信号通信機２０は、通信手段２１、操作手段２２、制御手段２３を有している。
【００２５】
通信手段２１は、リモコンキー１０からの施解錠信号の受信や呼出信号の送信などリモコン信号の送受信を行っている。操作手段２２は、例えば操作ボタンなどで構成され、行方不明のリモコンキー１０の所在を確認する際、リモコンキー１０と同様に操作ボタンが特殊操作される。制御手段２３は、リモコン信号通信機２０の各手段の統括制御やリモコン信号（施解錠信号、呼出信号）の送受信制御を行っている。
【００２６】
また、リモコン信号通信機２０は、リモコンキー１０から出力された施解錠信号を受信し、この受信した施解錠信号を電気錠制御盤３０に出力している。
【００２７】
さらに、リモコン信号通信機２０は、行方不明のリモコンキー１０の所在を確認するべく操作手段２２による特殊操作がなされたときに、特殊操作信号を制御手段２３に出力し、この特殊操作信号に基づいて制御手段２３が呼出信号を出力制御している。
【００２８】
図１に示すように、電気錠制御盤３０は、電源供給手段３１、通信手段３２、操作手段３３、記憶手段３４、制御手段３５を備えて概略構成される。
【００２９】
この電気錠制御盤３０は、リモコン信号通信機２０、電気錠操作器５０との間がそれぞれ通信ケーブルを介して通信可能に接続されるとともに、電気錠４０との間が例えば従来から周知の通電金具を介して接続される。
【００３０】
電源供給手段３１は、例えば商用電源（ＡＣ１００Ｖ）である外部電源から電源の供給を受け、制御手段３５の制御により、リモコン信号通信機２０、電気錠４０、電気錠操作器５０の各部に必要な駆動電源を供給している。
【００３１】
通信手段３２は、例えば無線通信機などで構成され、制御手段３５の制御により行方不明のリモコンキー１０の所在を確認するための呼出信号を送信している。なお、通信手段３２は、常時外部からの呼出信号を受信できるように信号待ち受け状態を保っているが、外部からの呼出信号を間欠受信すれば、無駄な電力消費を防ぐことができる。
【００３２】
操作手段３３は、例えば操作ボタンなどで構成され、行方不明のリモコンキー１０の所在を確認するべく特殊操作がなされたときに、特殊操作信号を制御手段３４に出力している。
【００３３】
記憶手段３４は、例えばＲＯＭやＲＡＭなどの半導体メモリなどで構成され、接続する各装置の駆動制御情報などシステム全体を統括制御するためのシステム管理情報の他、電気錠４０の施解錠履歴（施解錠状態）や扉の開閉履歴（開閉状態）や電気錠操作器５０の使用履歴などの情報を記憶している。
【００３４】
制御手段３５は、例えばＣＰＵやＲＯＭ、ＲＡＭなどのマイクロコンピューターで構成され、システム全体を統括制御している。さらに説明すると、制御手段３５は、電源供給手段３１からリモコン信号通信機２０、電気錠４０、電気錠操作器５０への電源供給制御を行っている。また、制御手段３５は、リモコンキー１０や電気錠操作器５０から電気錠４０の施錠または解錠を許可する施解錠信号が入力されたときに、現在の扉の状態（開扉、閉扉）や錠前の状態（施錠、解錠）に応じて電気錠４０に施錠制御信号または解錠制御信号を出力制御している。さらに、制御手段３５は、操作手段３３の特殊操作による特殊操作信号が出力されたときに、行方不明のリモコンキーを呼び出すための呼出信号を通信手段３２から出力するための制御を行っている。
【００３５】
電気錠４０は、例えばモータやアクチュエータなどの駆動機構を備えて構成され、電気錠制御盤３０から施錠制御信号または解錠制御信号が入力されたときに、この制御信号によって駆動機構を駆動し、扉枠の係止穴に対してデッドボルトを突出（施錠時）又は引き込む（解錠時）ことで錠前を施解錠している。
【００３６】
図１に示すように、電気錠操作器５０は、通信手段５１、表示手段５２、操作手段５３を備えて構成される。通信手段５１は、リモコンキー１０を呼び出すための呼出信号を送信している。表示手段５２は、例えばＬＥＤや表示モニタなどの表示機器で構成され、電気錠４０の施錠／解錠状態やその他システムに関する内容を表示している。操作手段５３は、例えば操作キーやボタンで構成され、行方不明のリモコンキー１０の所在を確認する際、リモコンキー１０と同様に特殊操作される。
【００３７】
電気錠操作器５０は、電気錠４０を施錠または解錠する際に、操作手段５３の通常操作に基づく施解錠信号を電気錠制御盤３０に出力している。また、電気錠操作器５０は、行方不明のリモコンキー１０の所在を確認する際に、操作手段５３の特殊操作に基づく呼出信号を出力している。
【００３８】
次に、上記のように構成されるリモコンキーの所在確認システム１の処理動作について具体例を挙げて説明する。ここでは、リモコンキーの所在確認システム１を例えば一般住宅やマンションなどに採用し、住人が宅内にて行方不明になったリモコンキー１０Ｂの所在を、別のリモコンキー１０Ａから呼び出して確認する場合を例にとって説明する。
【００３９】
宅内でリモコンキー１０Ｂが行方不明になった場合には、この行方不明になったリモコンキー１０Ｂの所在を確認するため、行方不明のリモコンキー１０Ｂとは別のリモコンキー１０Ａの操作手段１２を特殊操作する。例えば操作手段１２の操作ボタンを所定時間以上（例えば５秒以上）長押したり、操作ボタンを所定時間内に断続的に押す。この特殊操作により、リモコンキー１０Ａからは、行方不明のリモコンキー１０Ｂを呼び出すための呼出信号が出力される。そして、行方不明のリモコンキー１０Ｂは、リモコンキー１０Ａから送信された呼出信号を受信すると、自身の鳴動手段１５が鳴動し、音で住人に所在を伝える。
【００４０】
なお、上記形態では、行方不明のリモコンキー１０Ｂを別のリモコンキー１０Ａで呼び出して所在を音で住人に伝える場合を例にとって説明したが、リモコン信号通信機２０、電気錠制御盤３０、電気錠操作器５０の何れかの操作手段１２の特殊操作を行うことにより、上記動作と同様に、行方不明のリモコンキー１０Ｂを呼び出して所在を音で確認することができる。
【００４１】
このように、上述したリモコンキーの所在確認システム１では、リモコンキー１０を複数使用し、室内で行方不明になったリモコンキー１０の所在を確認する場合には、行方不明のリモコンキー１０とは別のリモコンキー１０（１０Ａ）、リモコン信号通信機２０、電気錠制御盤３０、電気錠操作器５０の何れかから行方不明のリモコンキー１０（１０Ｂ）を呼び出すための呼出信号を送信する。これにより、行方不明のリモコンキー１０（１０Ｂ）が呼出信号を受信することで鳴動し、その所在を音で住人に伝える。
【００４２】
また、リモコンキー１０を一つのみ使用し、そのリモコンキー１０が行方不明になった場合でも、リモコン信号通信機２０、電気錠制御盤３０、電気錠操作器５０の何れかの操作手段１２の特殊操作を行い、行方不明のリモコンキー１０を呼び出すための呼出信号を送信すれば、行方不明のリモコンキー１０が呼出信号を受信することで鳴動し、その所在を音で住人に伝えることができる。例えば、外出時にリモコンキー１０の行方が判らなくなっても、音によって行方不明のリモコンキー１０をすぐに発見することができる。
【００４３】
これにより、室内で行方不明になったリモコンキー１０を、素早く、且つ容易に発見することができる。また、リモコンキー１０以外の機器や予備のリモコンキー１０でも行方不明のリモコンキー１０の呼出しが可能なので、利便性にも優れている。
【００４４】
ところで、上述した形態におけるリモコンキー１０は、通信手段１１が外部から呼出信号を受信したときに鳴動手段１５を鳴動する構成として説明したが、バイブレータ（振動手段）を備え、呼出信号を受信したときに鳴動とともにバイブレータに振動を与えるバイブレーション機能を付加した構成としても良い。これにより、音だけでなく、振動によっても行方不明のリモコンキー１０の所在を確認でき、より効率的なリモコンキーの所在確認を行うことができる。
【００４５】
また、上述した形態では、電気錠制御盤３０からの制御により電気錠４０の施解錠制御を行う構成、リモコンキー１０からの施解錠信号をリモコン信号通信機２０が受信し、電気錠制御盤３０を介して電気錠４０の施解錠制御を行う構成の所在確認システムとして説明したが、この構成に限定されるものではない。例えば図１における電気錠制御盤３０の機能を電気錠４０自身に備えた構成としても上述したシステム内容と同等の効果を奏する。
【図面の簡単な説明】
【００４６】
【図１】本発明に係るリモコンキーの所在確認システムの概略構成図である。
【図２】一般的な電気錠システムの概略構成を示した説明図である。
【符号の説明】
【００４７】
１  リモコンキーの所在確認システム
１０  リモコンキー
１１  通信手段
１２  操作手段
１３  制御手段
１４  記憶手段
１５  鳴動手段
１６  電源供給手段
２０  リモコン信号通信機
２１  通信手段
２２  操作手段
２３  制御手段
３０  電気錠制御盤
３１  電源供給手段
３２  通信手段
３３  操作手段
３４  制御手段
３５  記憶手段
４０  電気錠
５０  電気錠操作器
５１  通信手段
５２  表示手段
５３  操作手段
【図１】
2007262792.tif 000003
【図２】
2007262792.tif 000004